(57)【要約】【課題】  電子部品付きの装飾部材を、その全体が表示装置の表示面の内側に収まる状態で当該表示面の前側に配置しながらも、電子部品に接続されるケーブルが遊技者から見えないようにすることで外観品質の向上を図ることのできる遊技機を提供する。【解決手段】  遊技機を、前側装飾部材１１１と、透明支持部材１１２と、電子部品１１３と、電子基板１１８と、電子部品１１３と電子基板１１８とを接続するケーブル１１４と、透明支持部材１１２と表示面１２１ａとの間に配された後側装飾層１１５とを備えたものとして、後側装飾層１１５を不透過領域１１５ａと透過領域１１５ｂとで構成し、不透過領域１１５ａを、前側装飾部材接続部１１５ａ１と外側領域接続部１１５ａ２と連結部１１５ａ３とを有するものとし、ケーブル１１４を、後側装飾層１１５と表示面１２１ａとの間に設けられた隙間αにおける、連結部１１５ａ３の後側に重なる箇所に通した。【選択図】  図４
2018126397.tif 000002
【特許請求の範囲】
【請求項１】
筺体の前面側に表示装置の表示面が設けられた遊技機であって、
前記表示面よりも小さな寸法を有し、前記表示面の前側に重なった状態で配される前側装飾部材と、
前方から見たときに前側装飾部材の全体が前記表示面の内側に収まる状態で前側装飾部材を後側から支持するための透明支持部材と、
前側装飾部材に取り付けられた電子部品と、
前記表示面の前側に重ならない箇所に配された電子基板と、
前記電子部品と前記電子基板とを接続するケーブルと、
透明支持部材と前記表示面との間に、前記表示面から前方に隙間を隔てた状態で配された後側装飾層と、
を備え、
後側装飾層が、
前記表示面の前側を覆って前記表示面を視認できなくする不透過領域と、
前記表示面を視認させる透過領域と、
で構成され、
後側装飾層の不透過領域が、
前方から見たときに前側装飾部材に接続した状態となる前側装飾部材接続部と、
前方から見たときに前記表示面の外側領域に接続した状態となる外側領域接続部と、
前側装飾部材接続部と外側領域接続部とを連結する連結部と、
を有するとともに、
前記ケーブルが、後側装飾層と前記表示面との間に設けられた前記隙間における、前記連結部の後側に重なる箇所を通された
ことを特徴とする遊技機。
【請求項２】
後側装飾層の不透過領域における前側装飾部材接続部が、前方から見たときに前側装飾部材の外周部と重なる前側装飾部材重合部を有する請求項１記載の遊技機。
【請求項３】
前側装飾部材に対する前側装飾部材重合部の重なり幅が、前側装飾部材の後面と後側装飾層の前面との間隔よりも大きい請求項２記載の遊技機。
【請求項４】
後側装飾層の不透過領域における連結部の後面に、前記ケーブルを固定する箇所を指示するための目印が設けられた請求項１〜３いずれか１つに記載の遊技機。
【請求項５】
前方から見たときの後側装飾層の不透過領域が、前側装飾部材に対して略対称を為す請求項１〜４いずれか１つに記載の遊技機。
【請求項６】
前記電子部品が、入力装置、出力装置又は駆動装置とされた請求項１〜５いずれか１つに記載の遊技機。
【発明の詳細な説明】
【技術分野】
【０００１】
本発明は、回胴式遊技機やパチンコ遊技機等の遊技機に関する。
【背景技術】
【０００２】
回胴式遊技機やパチンコ遊技機等の遊技機としては、画像による演出を行うための表示装置が設けられた機種が主流となっている。近年には、遊技機の見栄えをよくすることや、多様な演出を実行できるようにすること等を目的として、装飾効果を奏する装飾部材（演出効果を奏する演出部材を含む。以下同じ。）を表示装置の表示面の前側に重なるように配置した機種も見受けられるようになってきている。
【０００３】
例えば、特許文献１では、装飾部材（同文献の図３における、遊技関連情報表示手段７０が内蔵された演出ボタン１２３）が表示装置（同文献の図１における画像表示装置１１５）の表示面（同図における演出画像表示部１１５ａ）の前側に重なるように配置された遊技機が提案されている（同文献の請求項２及び図１）。
【０００４】
特許文献１の遊技機において、遊技関連情報表示手段７０は、文字や図形等からなる遊技関連情報を表示するものとなっており、遊技状態等に応じて、遊技者に視認させる遊技関連情報を切り替えることができるものとなっている（同文献の段落００４０）。これにより、表示装置（画像表示装置１１５）の表示面（演出画像表示部１１５ａ）に画像と、装飾部材（演出ボタン１２３）の前面に表示される遊技関連情報とを結合した斬新な演出を行うことが可能となっている（同文献の段落０００９及び図１２〜１７）。
【０００５】
特許文献１には、演出ボタン１２３が押し下げられたことを検知するためのセンサ（同文献の図３における検出手段４０）や、遊技関連情報表示体７０を発光させるための発光ダイオード（同図における光源７３ａ）や、遊技関連情報表示体７０を回転させるためのモータ（同文献の段落００４６）等の電子部品を、装飾部材（演出ボタン１２３）に取り付けることについても記載されている。
【先行技術文献】
【特許文献】
【０００６】
【特許文献１】特開２０１６−０７７６６４号公報
【発明の概要】
【発明が解決しようとする課題】
【０００７】
しかし、特許文献１の遊技機のように、電子部品が取り付けられた装飾部材を表示装置の表示面の前側に重ねた状態で配置する遊技機においては、それを前方から見たときに装飾部材の全体が表示装置の表示面の内側に収まる状態（装飾部材の外縁が表示装置の表示面の外縁に重ならない状態）で装飾部材を配置しにくいという問題があった。
【０００８】
というのも、上記の電子部品は、通常、表示装置の表示面の周囲に配された電子基板に対して、ケーブルを介して接続される。ところが、装飾部材を、その全体が表示装置の表示面の内側に収まる状態で配置すると、そのケーブルを、表示装置の表示面の前側における装飾部材で覆われていない部分に通す必要が生じる。このため、ケーブルが遊技者から見えるようになり、遊技機の見栄えが低下するからである。
【０００９】
本発明は、上記課題を解決するために為されたものであり、電子部品が取り付けられた装飾部材を、その全体が表示装置の表示面の内側に収まる状態で当該表示面の前側に配置しながらも、電子部品に接続されるケーブルが遊技者から見えないようにすることで外観品質の向上を図ることのできる遊技機を提供するものである。
【課題を解決するための手段】
【００１０】
上記課題は、
筺体の前面側に表示装置の表示面が設けられた遊技機であって、
前記表示面よりも小さな寸法を有し、前記表示面の前側に重なった状態で配される前側装飾部材と、
前方から見たときに前側装飾部材の全体が前記表示面の内側に収まる状態で前側装飾部材を後側から支持するための透明支持部材と、
前側装飾部材に取り付けられた電子部品と、
前記表示面の前側に重ならない箇所に配された電子基板と、
前記電子部品と前記電子基板とを接続するケーブルと、
透明支持部材と前記表示面との間に、前記表示面から前方に隙間を隔てた状態で配された後側装飾層と、
を備え、
後側装飾層が、
前記表示面の前側を覆って前記表示面を視認できなくする不透過領域と、
前記表示面を視認させる透過領域と、
で構成され、
後側装飾層の不透過領域が、
前方から見たときに前側装飾部材に接続した状態となる前側装飾部材接続部と、
前方から見たときに前記表示面の外側領域に接続した状態となる外側領域接続部と、
前側装飾部材接続部と外側領域接続部とを連結する連結部と、
を有するとともに、
前記ケーブルが、後側装飾層と前記表示面との間に設けられた前記隙間における、前記連結部の後側に重なる箇所を通された
ことを特徴とする遊技機
を提供することによって解決される。
【００１１】
かかる構成を採用することによって、表示装置の表示面の前側における装飾部材で覆われていない部分を通されるケーブルを、後側装飾層の不透過領域で覆った状態とし、そのケーブルが遊技者側から見えないようにすることができる。このため、遊技機の見栄えをよくして外観品質を向上することが可能になる。ケーブルを隠す後側装飾層は、装飾効果を奏するものであり、単なる目隠しとしては認識されにくいため、ケーブルを目立たない状態で隠すのに適したものとなっている。
【００１２】
本発明の遊技機においては、後側装飾層の不透過領域における前側装飾部材接続部に、前方から見たときに前側装飾部材の外周部と重なる前側装飾部材重合部を設けると好ましい。
【００１３】
というのも、本発明の遊技機では、前側装飾部材の後面と後側装飾層の前面との間に透明支持部材が配されるため、前側装飾部材の後面と後側装飾層の前面は、同一平面上とはならない。すなわち、前側装飾部材の後面と後側装飾層の前面は、透明支持部材の前後厚以上の間隔を隔てて配されるようになる。したがって、前側装飾部材接続部に、前側装飾部材と重なった部分が存在していないと、前後方向に対して傾斜した方向から表示装置の表示面を見た場合に、前側装飾部材接続部と前側装飾部材との境界部から、ケーブルが見えてしまう虞がある。これに対し、前側装飾部材接続部に、前側装飾部材と重なった部分（前側装飾部材重合部）を設けていると、前後方向に対して傾斜した方向から表示装置の表示面を見た場合であっても、前側装飾部材接続部と前側装飾部材との境界部周辺からケーブルが見えにくくすることが可能になるからである。
【００１４】
本発明の遊技機において、後側装飾層の不透過領域における前側装飾部材接続部に、上記の前側装飾部材重合部を設ける場合には、前側装飾部材に対する前側装飾部材重合部の重なり幅が、前側装飾部材の後面と後側装飾層の前面との間隔よりも大きくなるようにすると好ましい。
【００１５】
かかる構成を採用することによって、前後方向に対して傾斜した方向から表示装置の表示面を見た場合であっても、前側装飾部材接続部と前側装飾部材との境界部周辺からケーブルがさらに見えにくくすることが可能になる。ここで、「前側装飾部材に対する前側装飾部材重合部の重なり幅」とは、前側装飾部材重合部における、前記連結部に接続する端縁とは反対側の端縁（前側装飾部材の後側に重なる側の端縁）と、前側装飾部材の外縁（当該前側装飾部材重合部と前後方向に重なる区間に限る。）との間隔（当該間隔が場所によって異なる場合には、その最大値。）のことを云う。
【００１６】
本発明の遊技機においては、後側装飾層の不透過領域における連結部の後面に、前記ケーブルを固定する箇所を指示するための目印を設けることも好ましい。
【００１７】
かかる構成を採用することによって、上記のケーブルの配線を行う作業者が、そのケーブルの配線を、既定の経路で適切に行うことが容易となる。このため、ケーブルが規定の経路で適切に配線されなかったことによって、そのケーブルのある区間が後側装飾層の連結部（不透過領域）の後側に隠れずに見えてしまっているといった不具合の発生を未然に防ぐことが可能になる。
【００１８】
本発明の遊技機においては、後側装飾層の不透過領域を、前方から見たときに前側装飾部材に対して略対称を為すように形成することも好ましい。
【００１９】
というのも、例えば、後側装飾層における、上記のケーブルに重なる部分のみに、連結部（不透過領域）が形成されていると、遊技者に不自然な印象を与え、後側装飾層がケーブルを隠すための目隠しであることに遊技者が気づきやすくなるところ、かかる構成のように、後側装飾層の不透過領域を略対象に形成することによって、その不自然な印象が生じないようにすることが可能になるからである。
【００２０】
本発明の遊技機においては、前記電子部品（前側装飾部材に取り付ける電子部品）は、通常、入力装置、出力装置又は駆動装置とされる。入力装置としては、光電センサや近接センサやリミットスイッチやタッチパネルやマイクやカメラ等が例示される。また、出力装置としては、ＬＥＤ等の光源や、液晶表示装置やＬＥＤ表示装置等の表示装置や、スピーカー等が例示される。さらに、駆動装置としては、ステッピングモーター等のモーターが例示される。
【００２１】
かかる構成を採用することによって、前側装飾部材に様々な機能を持たせることが可能になる。例えば、前記電子部品を、遊技者による手をかざす動作を検知するための光電センサとした場合には、遊技機の演出を切り替える演出ボタンとしての機能を前側装飾部材に付与することが可能になる。また、前記電子部品を、ＬＥＤ表示装置とした場合には、前側装飾部材で、発光演出や映像演出を行うことが可能になる。さらに、前記電子部品を、前側装飾部材に設けた可動部分を駆動するためのステッピングモーターとした場合には、前側装飾部材で可動体演出を行うことが可能になる。
【図面の簡単な説明】
【００２２】
【図１】回胴式遊技機を前方から見た図である。
【図２】前扉が開かれた回胴式遊技機を前方斜め右上から見た図である。
【図３】本発明に係る構成を採用した表示ユニットを前方斜め右上から見た図である。
【図４】図３の表示ユニットを分解した状態を前方斜め右上から見た図である。
【図５】図３の表示ユニットにおける前側装飾部材の周辺を左右方向に垂直な面で切断して拡大した図である。
【図６】図３の表示ユニットの前側を形成する表示ユニット前側部材を前方から見た図である。
【図７】図３の表示ユニットの後側装飾層を後方から見た図である。
【発明を実施するための形態】
【００２３】
本発明の遊技機の好適な実施態様について、図面を用いてより具体的に説明する。以下においては、説明の便宜上、回胴式遊技機を例に挙げて説明するが、本発明の遊技機に係る構成は、パチンコ遊技機等の他の遊技機においても採用することができる。
【００２４】
また、後掲する各図には、ｘ軸、ｙ軸及びｚ軸を示している。ｘ軸、ｙ軸及びｚ軸の向きは、異なる図であっても、互いに一致している（ただし、図２における前扉１０ｂ及びそれに取り付けられた部材は、前扉１０ｂを閉じた状態のときの向きで一致するようにしている。）。以下においては、ｘ軸方向正側を「右」側、ｘ軸方向負側を「左」側、ｙ軸方向正側を「後」側、ｙ軸方向負側を「前」側、ｚ軸方向正側を「上」側、ｘ軸方向負側を「下」側と呼ぶことがあるが、これは、各部の相対的な位置関係を表すためのものに過ぎず、各部の絶対的な位置関係を限定するものではない。
【００２５】
１．  回胴式遊技機の概要
図１は、回胴式遊技機１０を前方から見た図である。回胴式遊技機１０は、図１に示すように、その前面側に、メダルを投入するためのメダル投入口１１と、メダルを払い出すためのメダル払出口１２と、その外周面に図柄が描かれた３本のリール１３，１４，１５と、映像演出を行うための表示装置１６と、照明演出を行うための発光ランプ（図示省略）と、音声演出を行うためのスピ−カー１７等を備えたものとなっており、操作部として、１遊技当たりの最大枚数（通常３枚）のメダルをベットするためのマックスベットボタン１８と、ベットするメダルを１枚ずつ増加するためのシングルベットボタン１９と、リール１３，１４，１５の回転を開始するためのスタートレバー２０と、リール１３，１４，１５の回転をそれぞれ停止するための３個のストップボタン２１，２２，２３と、演出を切り替えるための演出切替えスイッチ２４と、クレジットされたメダルを払い戻すための払戻しボタン２５等を有するものとなっている。
【００２６】
これらの操作部のうち、演出切替えスイッチ２４は、表示装置１６の表示面の前側に当該表示面の内側に収まる状態で配置（表示装置１６の表示面の前側に浮島状に配置）された演出切替えスイッチ用装飾カバー２６によって装飾された状態となっている。本実施態様において、演出切替えスイッチ２４及び演出切替えスイッチ用装飾カバー２６は、表示装置１６等とともに、後述する表示ユニット３２（図２）を構成するものとなっている。
【００２７】
この回胴式遊技機１０は、メダルのクレジット枚数が所定枚数以上となった状態でスタートレバー２０が操作されると、役抽選が実行されるとともにリール１３，１４，１５が一斉に回転を開始し、ストップボタン２１，２２，２３がそれぞれ操作されると、操作されたストップボタン２１，２２，２３に対応するリール１３，１４，１５の回転が停止していき、全てのリール１３，１４，１５が停止したときにリール窓１０ｂ１の有効ライン上に表示される図柄の組み合わせが役抽選で当選した役に対応したものとなっていた場合（入賞した場合）に、その役に応じた枚数のメダルが払い出され、メダルのクレジット枚数が上限値に達しているときには、ホッパーユニット３６（図２を参照）から送出されたメダルがメダル払出口１２を通じて払い出されるようになっている。メダルのクレジット枚数は、メダルのクレジット枚数が上限値に達していないときに、メダル投入口１１にメダルが投入される、又は、入賞によってメダルが払い出されると増加するようになっている。
【００２８】
図２は、前扉１０ｂが開かれた回胴式遊技機１０を前方斜め右上から見た図である。回胴式遊技機１０は、図２に示すように、前方が開放された箱状を為す筺体本体１０ａと、筺体本体１０ａの前面側に開閉可能な状態で取り付けられた前扉１０ｂとで構成された遊技機筺体の内部に各種の機器が収容されたものとなっている。本実施態様において、遊技機筺体の内部には、メイン制御基板ユニット３０、サブ制御基板ユニット３１、表示ユニット３２、電源ユニット３３、コネクタユニット３４、リールユニット３５及びホッパーユニット３６等が納められている。
【００２９】
メイン制御基板ユニット３０は、役抽選や入賞判定等、遊技における基本的な制御を行う電子基板（メイン制御基板）を備えている。サブ制御基板ユニット３１は、発光ランプや音声による演出等、遊技における演出に関する制御を行う電子基板（サブ制御基板）を備えている。表示ユニット３２は、それに備えられた表示装置１６（図１を参照）に表示される映像による演出に関する制御を行う電子基板（映像基板）を備えている。電源ユニット３３は、回胴式遊技機１０における各機器に電力を供給する電子基板（電源基板）を備えている。コネクタユニット３４は、特定の機器に接続されたケーブルを仲介する電子基板（仲介基板）を備えている。リールユニット３５は、リール１３，１４，１５の回転をそれぞれ独立して制御する電子基板（リール制御基板）を備えている。ホッパーユニット３６は、メダル投入口１１（図１を参照）に投入されたメダルを回収するとともに、メイン制御基板ユニット３０からの信号に基づいてメダル払出口１２（図１を参照）へメダルを送出する制御を行う電子基板（ホッパー制御基板）を備えている。
【００３０】
これらのユニットに備えられた各種電子基板は、いずれも、不正アクセスの対象となり得る。例えば、メイン制御基板ユニット３０に備えられた電子基板（メイン制御基板）には、回胴式遊技機１０における基本的な制御を行うためのプログラムが記録された記憶装置（ＲＯＭ）が搭載されているところ、この記憶装置を偽造したものに交換することによって、遊技中に特定の操作を行うと必ず大当たりになるようにする等、回胴式遊技機１０に不正な改造を試みる者がいる。このため、回胴式遊技機１０等の遊技機において、これらの電子基板は、ケース（基板ケース）の内部に収容されて封止された状態となっている。電子基板を封止する基板ケースは、その外部から内部の異変を発見しやすくするため、通常、透明樹脂によって形成される。
【００３１】
ところで、本発明は、後掲する図３〜５に示すように、電子部品１１３が取り付けられた装飾部材（前側装飾部材１１１）を、その全体が表示装置１２１の表示面１２１ａの内側に収まる状態で当該表示面１２１ａの前側に配置（電子部品１１３が取り付けられた前側装飾部材１１１を、表示装置１２１の表示面１２１ａの前側に浮島状に配置）しながらも、電子部品１１３に接続されるケーブル１１４が遊技者から見えないようにすることで、遊技機の外観品質を向上するものである。したがって、本発明に係る構成は、回胴式遊技機１０等の遊技機における、表示装置（液晶表示装置に限定されず、ＬＥＤ表示装置等の発光式表示装置も含む。）の表示面の前側に、電子部品付きの装飾部材を浮島状に配置するいずれの部分にも採用することができる。
【００３２】
しかし、以下においては、説明の便宜上、本発明に係る構成を、図２に示す表示ユニット３２で採用した場合を例に挙げて説明する。換言すると、図２に示す表示ユニット３２が、図３に示す表示ユニット１００になる場合であって、図１に示す表示装置１６が、図３に示す表示装置１２１になり、図１に示す演出切替えスイッチ２４が、図３に示す電子部品１１３になり、図１に示す演出切替えスイッチ用装飾カバー２６が、図３に示す前側装飾部材１１１になる場合を例に挙げて、本発明に係る構成を説明する。以下、本発明に係る構成を採用した表示ユニット１００（表示ユニット３２）について詳しく説明する。
【００３３】
２．表示ユニット
図３は、本発明に係る構成を採用した表示ユニット１００（図２の表示ユニット３２）を前方斜め右上から見た図である。図４は、図３の表示ユニット１００を分解した状態を前方斜め右上から見た図である。図５は、図３の表示ユニット１００における前側装飾部材１１１の周辺を左右方向に垂直な面で切断して拡大した図である。図６は、図３の表示ユニット１００の前側を形成する表示ユニット前側部材１１０を前方から見た図である。図７は、図３の表示ユニット１００の後側装飾層１１５を後方から見た図である。本実施態様の表示ユニット１００は、図３及び図４に示すように、その前側を形成する表示ユニット前側部材１１０と、その後側を形成する表示ユニット後側部材１２０とを互いに組み付けることによって、構成されたものとなっている。
【００３４】
２．１  表示ユニット後側部材
表示ユニット後側部材１２０は、図４に示すように、表示装置１２１と表示装置用ホルダ１２２とで構成されている。
【００３５】
表示装置１２１は、その前側に設けられた表示面１２１ａに、各種の演出画像や遊技状態等、遊技に関連する映像（静止画だけでなく動画も含む。また、画像だけでなく文字等も含む。）をその表示面１２１ａに表示するためのものとなっている。本実施態様において、表示装置１２１は、液晶表示装置となっているが、これに限定されない。表示装置１２１は、有機ＥＬ表示装置や、ＬＥＤ表示装置等、表示機能を有する各種の表示装置で置換することもできる。
【００３６】
一方、表示装置用ホルダ１２２は、表示装置１２１を保持するためのものとなっている。本実施態様において、表示装置用ホルダ１２２は、表示装置１２１の外周部と後面部とを覆う形態としている。既に述べたように、表示ユニット１００には映像基板が設けられ、当該映像基板は、透明樹脂等からなる基板ケースに収容されて封止された状態とされるところ、この映像基板を封止した基板ケースは、表示装置用ホルダ１２２の後面側に取り付けられるようになっている。
【００３７】
この表示装置用ホルダ１２２には、把手１２２ａと、ビス止め部１２２ｂと、係止部１２２ｃも設けている。把手１２２ａは、表示ユニット１００を持ち運んだり取り付けたりする際等に手で掴むための部分となっている。ビス止め部１２２ｂと係止部１２２は、表示ユニット後側部材１２０に対して表示ユニット前側部材１１０を固定するための部分となっている。具体的には、ビス止め部１２２ｂは、その後側からビス（図示省略）を打ち込むことによって、表示ユニット前側部材１１０におけるフレーム部材１１７のビス止め部１１７ｂに対して固定される部分となっており、係止部１２２ｃは、表示ユニット前側部材１１０におけるフレーム部材１１７の被係止部１１７ｃに対して後側から挿入して係止される部分となっている。その他、表示装置用ホルダ１２２には、表示装置１００で発生した熱を逃すための排熱口（図示省略）や、表示装置用ホルダ１２２の強度を高めるためのリブ（図示省略）等も設けている。
【００３８】
２．２  表示ユニット前側部材
表示ユニット前側部材１１０は、図４に示すように、前側装飾部材１１１と、透明支持部材１１２と、電子部品１１３と、ケーブル１１４と、後側装飾層１１５と、後側装飾層支持部材１１６と、フレーム部材１１７とで構成されている。表示装置１２１の表示面１２１ａの前側に重ならない箇所には、電子部品１１３の制御等を行うための電子基板１１８が設けられている。この電子基板１１８は、上記のケーブル１１４によって、上記の電子部品１１３に対して電気的に接続されている。本発明は、このケーブル１１４が、遊技者から見えないようにすることで遊技機の外観品質を向上するものとなっている。
【００３９】
２．２．１  電子部品
本実施態様において、電子部品１１３は、検知光を前方に出射する発光部と、その反射光（検知対象物で後方に反射された光）を検知する受光部とを備えた光電センサとなっており、遊技者による手をかざす動作を非接触で検知するものとなっている。この光電センサ（電子部品１１３）は、既に述べたように、演出を切り替えるための演出切替えスイッチ２４（図１）となっている。しかし、電子部品１１３は、光電センサに限定されず、近接センサやリミットスイッチやタッチパネルやマイクやカメラ等、他の入力装置とすることもできる。また、電子部品１１３は、演出切替えスイッチ２４等の入力装置にも限定されず、ＬＥＤ等の光源や、ＬＥＤ表示機等の表示装置や、スピーカー等の出力装置とすることもできるし、可動体演出を行う可動体を駆動するためのステッピングモーター等の駆動装置とすることもできる。
【００４０】
２．２．２  前側装飾部材
前側装飾部材１１１は、少なくともその前面側に装飾が施された不透明な部材となっている。前側装飾部材１１１は、その前面視において、表示装置１２１の表示面１２１ａよりも小さな寸法を有しており、表示面１２１ａの前側に重なりながらも、表示面１２１ａの内側に収まる状態で配置される。この前側装飾部材１１１の後側には、上記の光電センサ（電子部品１１３）が取り付けられている。本実施態様においては、既に述べたように、演出切替えスイッチ２４（図１）を装飾する演出切替えスイッチ用装飾カバー２６が、前側装飾部材１１１となるようになっている。既に述べたように、電子部品１１３としては、発光部と受光部とを備えた光電センサを用いているところ、前側装飾部材１１１には、透光部１１１ａ１を設けている。このため、光電センサ（電子部品１１３）の前側を前側装飾部材１１１で覆いながらも、光電センサの発光部から出射した検知光やその反射光が前側装飾部材１１１によって遮られないようにしている。
【００４１】
本実施態様において、前側装飾部材１１１は、その前面視において三角形状を為すカバー部材としているが、前側装飾部材１１１は、装飾効果を奏するのであれば、その形態を限定されない。前側装飾部材１１１は、その前面視において、四角形状や五画形状や六角形状等、三角形状以外の多角形状を為すものであってもよいし、円形や楕円形を為すものであってもよいし、これらを組み合わせたものであってもよいし、それらのいずれにも属さない不定形を為すものであってもよい。前側装飾部材１１１は、その遊技機のメーカーや、その遊技機の機種等を表すキャラクターやマークを表したものとすることもできる。
【００４２】
前側装飾部材１１１の寸法は、その前面視において、表示装置１２１の表示面１２１ａの内側に収まるのであれば、特に限定されない。前側装飾部材１１１の好適な寸法は、表示装置１２１の表示面１２１ａによっても異なる。しかし、前側装飾部材１１１が小さすぎると、前側装飾部材１１１が目立ちにくくなって前側装飾部材１１１による装飾効果が奏されにくくなるばかりか、後側装飾層１１５に後述する前側装飾部材重合部１１５ａ１を設けにくくなり、ケーブル１１４の一部が前側から見えやすくなる虞もある。このため、前側装飾部材１１１は、表示装置１２１の表示面１２１ａの面積（以下「Ｓ１」とする。）に対する前側装飾部材１１１の面積（前方から見たときの面積。以下「Ｓ２」とする。）の比Ｓ２／Ｓ１が０．０１以上となる寸法に設定すると好ましい。比Ｓ２／Ｓ１は、０．０３以上であるとより好ましく、０．０５以上であるとさらに好ましい。
【００４３】
一方、前側装飾部材１１１が大きすぎると、必然的に、前側装飾部材１１１の外縁と表示装置１２１の表示面１２１ａの外縁との距離が近くなり、その近くなった部分に上記のケーブル１１４を通すことによって、ケーブル１１４を目立ちにくくできる場合もあり、本発明に係る構成を採用する意義が低下する虞がある。このため、前側装飾部材１１１は、表示装置１２１の表示面１２１ａの面積Ｓ１に対する前側装飾部材１１１の面積Ｓ２の比Ｓ２／Ｓ１が０．５以下となる寸法に設定すると好ましい。比Ｓ２／Ｓ１は、０．４以下であるとより好ましく、０．３以下であるとさらに好ましい。
【００４４】
また、前側装飾部材１１１の外縁と表示装置１２１の表示面１２１ａの外縁とにおける最も近くなった部分の距離（本実施態様においては、図６における距離Ｌ１）は、５ｍｍ以上とすると好ましく、１０ｍｍ以上とするとより好ましく、２０ｍｍ以上とするとさらに好ましい。本発明に係る構成を採用すれば、距離Ｌ１を３０ｍｍ以上や４０ｍｍ以上とさらに長くすることも可能であり、表示装置１２１の表示面１２１ａの中央部付近に、比較的小さな寸法の前側装飾部材１１１を配しても、ケーブル１１４を見えないように隠すことが可能である。距離Ｌ１の上限は、特に限定されないが、遊技機に一般的に用いられる液晶表示装置等の寸法を考慮すれば、通常、２００〜３００ｍｍ程度までである。
【００４５】
ところで、本実施態様においては、上述したように、前側装飾部材１１１には、光電センサ（電子部品１１３）の検知光等を透過させるための透光部１１１ａ１を設けているところ、前側装飾部材１１１の構造やその製造方法においても、ある工夫を施している。この工夫については、下記の「３．前側装飾部材（遊技機用装飾部材）の製造方法」の欄で詳しく述べるため、ここでは説明を割愛する。
【００４６】
２．２．３  透明支持部材
透明支持部材１１２は、図５に示すように、前側装飾部材１１１が表示装置１２１の表示面１２１ａから前方に所定距離を隔てた箇所に配されるように、前側装飾部材１１１を後側から支持するための透明な部材となっている。この透明支持部材１１２によって、前側装飾部材１１１は、図６に示すように、前面視においてその全体が表示装置１２１の表示面１２１ａの内側に収まる状態で支持される。透明支持部材１１２に対して前側装飾部材１１１を固定する方法は、特に限定されず、ビスや接着剤等を用いてもよいが、本実施態様においては、振動溶着を採用している。透明支持部材１１２の前面における前側装飾部材１１１を固定する箇所には、図５に示すように、凸条１１２ａを設けている。このため、透明支持部材１１２に対して前側装飾部材１１１を位置決めしやすくなっている。
【００４７】
透明支持部材１１２は、前側装飾部材１１１を後側から支持できるものであれば、その形態を特に限定されず、表示装置１２１の表示面１２１ａの一部のみを覆うものであってもよい。しかし、この場合には、液晶表示装置１２１の表示面１２１ａ等、透明支持部材１１２の後側に配される部材に遊技者が触れることが可能になってしまう。このため、本実施態様においては、透明支持部材１１２を、表示装置１２１の表示面１２１ａの略全体を覆う板状部材としており、透明支持部材１１２よりも後側に配される部材に遊技者が触れることができないようにしている。
【００４８】
ただし、透明支持部材１１２における、前側装飾部材１１１で覆われる箇所には、ケーブル１１４を通すためのケーブル挿通孔１１２ｂを設けている。本実施態様において、ケーブル挿通孔１１２ｂは、電子部品１１３も通すことが可能な寸法で設けている。このため、透明支持部材１１２の前面側に前側装飾部材１１１を固定した後であっても、このケーブル挿通孔１１２ｂを通じて、電子部品１１３を透明支持部材１１２の後側から前側に挿入（前側装飾部材１１１と透明支持部材１１２との間の空間に収容）することができるようになっており、電子部品１１３の組付けを容易に行うことができるようになっている。透明支持部材１１２は、その外周部をフレーム部材１１７（図４）の内周部で支持されるようになっている。透明支持部材１１２の板厚は、特に限定されないが、通常、０．５〜１０ｍｍ程度とされ、本実施態様においては、４ｍｍとしている。
【００４９】
２．２．４  ケーブル
ケーブル１１４は、図４に示すように、透明支持部材１１２の前面側に配された電子部品１１３と、表示装置１２１の表示面１２１ａの前側に重ならない箇所に配された電子基板１１８とを、電気的に接続するものとなっている。本実施態様において、電子部品１１３に接続されたケーブル１１４は、透明支持部材１１２のケーブル挿通孔１１２ｂと、後述する後側装飾層支持部材１１６に形成されたケーブル挿通孔１１６ａと、後側装飾層１１５に形成されたケーブル挿通孔１１５ｃとを通されて、後側装飾層１１５の後面側に引き出され、その後側装飾層１１５の後面側に引き出された部分を、フレーム部材１１７に形成されたケーブル挿通孔１１７ｅに通し、フレーム部材１１７の外側に配された電子基板１１８に接続されるようになっている。
【００５０】
ケーブル１１４の種類は、電子部品１１３の種類等によっても異なり、特に限定されないが、通常、電子部品１１３に電力を供給する電源線（アース線を含む。）か、電子部品１１３に電気信号を入力する信号入力線か、電子部品１１３から電気信号を出力する信号出力線か、これらの線を組み合わせたものとされる。本実施態様において、ケーブル１１４は、光電センサ（電子部品１１３）に電力を供給する電源線と、光電センサ（電子部品１１３）の検知結果を出力する信号出力線とをまとめたハーネスケーブルとなっている。この種のハーネスケーブルは、不透明であることに加えて、ある程度太さもあり、表示装置１２１の表示面１２１ａの前側に重なる箇所を通された場合には、遊技者の目につきやすいところ、本発明では、ケーブル１１４における、表示装置１２１の表示面１２１ａの前側に重なる箇所を通される区間を、後述する後側装飾層１１５の不透過領域１１５ａで隠すことによって、遊技者に目視されないようにしている。
【００５１】
２．２．５  後側装飾層
後側装飾層１１５は、少なくともその前面側に装飾が施されたものとなっており、図４に示すように、透明支持部材１１２と表示装置１２１の表示面１２１ａとの間に、表示面１２１ａから前方に隙間α（図５）を隔てた状態で配される。既に述べたように、ケーブル１１４は、ケーブル挿通孔１１５ｃから後側装飾層１１５の後面側に引き出されるところ、後側装飾層１１５の後面側に引き出されたケーブル１１４は、後側装飾層１１５の後面と表示装置１２１の表示面１２１ａとの間の隙間αを引き回されて、表示面１２１ａに重ならない箇所まで導かれるようになっている。
【００５２】
この後側装飾層１１５は、その前面側からその後面側を視認することができない不透過領域１１５ａ（図４において網掛けハッチングで表した部分）と、その前面側からその後面側を視認することができる透過領域１１５ｂ（図４において白抜きで表した部分）とを有するものとなっている。表示装置１２１の表示面１２１ａに表示される映像のうち、不透過領域１１５ａに重なる部分の映像は、遊技者が視認できないものの、透過領域１１５ｂに重なる部分の映像は、遊技者が視認することができる。
【００５３】
本実施態様において、透過領域１１５ｂは、後側装飾層１１５の中央部に略逆三角形状に設けたものと、後側装飾層１１５の左上隅部、右上隅部、左縁中央部及び右縁中央部にそれぞれ矩形状に設けたものと、後側装飾層１１５の下縁に沿って帯状に設けたものとの計６個を設けているが、これに限定されることなく、透過領域１１５ｂの数や配置や形状は、適宜変更することができる。このように、複数の透過領域１１５ｂを分断して設けて、表示装置１２１の表示面１２１ａに表示される映像を分断することによって、表示装置１２１による演出効果を高めることができる。
【００５４】
この場合、一の透過領域１１５ｂを通じて遊技者に視認させる表示内容と、他の透過領域１１５ｂを通じて遊技者に視認させる表示内容とは、不透過領域１５ａに重なる部分で繋がった一体のもの（表示装置１２１の表示面１２１ａの全体に亘って表示される１つの映像の一部を単に不透過領域１１５ａで覆っただけのもの）としてもよいし、それぞれが独立した別体のもの（表示装置１２１の表示面１２１ａにおける一の透過領域１１５ｂに重なる区画と、他の透過領域１１５ｂに重なる区画とに、独立した異なる映像を表示するもの）であってもよい。
【００５５】
後側装飾層１１５の装飾は、不透過領域１１５ａや透過領域１１５ｂの形状を装飾的に表す（例えば、不透過領域１１５ａや透過領域１１５ｂをキャラクターや文字の形状に形成する等）ことによって施してもよいし、不透過領域１１５ａ等に重なる状態で文字や図形等を表すことによって施してもよいし、勿論、これらを組み合わせて施したものであってもよい。後側装飾層１１５に対してこれらの装飾を施す方法は、特に限定されず、印刷や打抜き加工（不透明なシートを所定の装飾形状に打ち抜いて当該装飾形状の透過領域１１５ｂを形成する）等、各種の方法を採用することができる。本実施態様において、後側装飾層１１５は、透明な樹脂シートからなる素材にインクを印刷することで、不透過領域１１５ａを装飾的に施したものとなっている。
【００５６】
不透過領域１１５ａを印刷するインクとしては、各種の色を採用することができる。表示装置１２１の表示面１２１ａにおける不透過領域１１５ａに重なる部分から出射した光が前方に透過しないようにするためには、不透過領域１１５ａは、遮光性に優れた暗色系（黒色等）のインクで設けることもできる。しかし、不透過領域１１５ａを、暗色系のインクで表すと、後側装飾層１１５により奏される装飾効果が限定的になる。その一方で、不透過領域１１５ａを、明色系のインクで表すと、表示装置１２１の表示面１２１ａにおける不透過領域１１５ａに重なる部分から出射した光が前方に透過しやすくなってしまい、ケーブル１１４がシルエットとして遊技者に認識されてしまう虞がある。このため、本実施態様においては、不透過領域１１５ａの後面側を、黒色（暗色系）のインクでベタ印刷を行い、不透過領域１１５ａの前面側を、明色系を含む多種類のインクで所望の図柄等を印刷している。これにより、遮光性と装飾性とを両立することが可能となる。
【００５７】
不透過領域１１５ａや透過領域１１５ｂは、その形状自体でも装飾効果を奏することができるところ、これらの不透過領域１１５ａや透過領域１１５ｂは、前方から見たときに略対称（線対称又は回転対称）を為すように形成すると好ましい。というのも、既に述べたように、不透過領域１１５ａは、ケーブル１１４を隠すための部分であるところ、ケーブル１１４に重なる部分のみに不透過領域１１５ａを設けていると、遊技者が不自然さを感じやすくなる虞がある。この点、不透過領域１１５ａを略対象に設けることで、不透過領域１１５ａは装飾するためのものであると遊技者に認識されやすくして、上記の不自然さが生じにくくすることができるからである。本実施態様においては、後側装飾層１１５を左右に二等分する中心線に対して線対称となるように、不透過領域１１５ａ及び透過領域１１５ｂを設けている。ここで、不透過領域１１５ａに重なる状態で文字や図形等を表す場合（不透過領域１１５ａに重なる部分に不透過領域１１５ａの基本色とは異なる色で文字や図形等を表す場合）には、その文字や図形等まで対象に形成する必要はない。
【００５８】
上記の不透過領域１１５ａは、図６に示すように、前方から見たときに前側装飾部材１１１に接続した状態となる前側装飾部材接続部１１５ａ１と、前方から見たときに表示装置１２１（図４）の表示面１２１ａの外側領域に接続した状態となる外側領域接続部１１５ａ２と、前側装飾部材接続部１１５ａ１と外側領域接続部１１５ａ２とを連結する連結部１１５ａ３とに分類することができる。本実施態様において、前側装飾部材接続部１１５ａ１は、正面視で三角形状を為す前側装飾部材１１１の頂点に相当する３箇所に設けられており、外側領域接続部１１５ａ２は、正面視で矩形状を為す後側装飾層１１５の四辺に沿った矩形環状に設けられている。また、連結部１１５ａ３は、図６において網掛けハッチングで示した部分（不透過領域１１５ａ）のうち、前側装飾部材接続部１１５ａ１と外側領域接続部１１５ａ２のいずれにも該当しない部分となっている。
【００５９】
本発明は、ケーブル１１４における、表示装置１２１の表示面１２１ａの前側に重なる箇所を通される区間を、不透過領域１１５ａで隠すものであることについては、これまでに幾度となく述べたが、このことを、上記の「連結部１１５ａ３」を用いて言い換えると、後側装飾層１１５と表示装置１２１の表示面１２１ａとの隙間α（図５）における、上記の連結部１１５ａ３の後側に重なる箇所にケーブル１１４を通すことによって、上記区間のケーブル１１４を遊技者から見えないように隠すことができるということになる。
【００６０】
このため、連結部１１５ａ３のうち、その後側にケーブル１１４が通される部分の幅（前側から見たときの幅）は、少なくともケーブル１１４の幅（前側から見たときの幅）と同程度に必要がある。遊技者が前後方向（ｙ軸方向）に対して傾斜した方向から表示装置１２１の表示面１２１ａを視認する場合もあること等を考慮すると、連結部１１５ａ３における、後側にケーブル１１４が通される部分の幅は、ケーブル１１４の幅よりも広くすると好ましい。換言すると、ケーブル１１４の縁から、当該縁に最も近い透過領域１１５ｂまでの距離Ｌ２（図６）は、ある程度確保すると好ましい。
【００６１】
この場合、上記の距離Ｌ２（図６）を具体的にどの程度とするかは、特に限定されない。しかし、ケーブル１１４の前後方向の厚さＴ１（図５）よりも大きくすると好ましい。これにより、遊技者が前後方向（ｙ軸方向）に対して４５°傾斜した方向から表示装置１２１の表示面１２１ａを視認しても、ケーブル１１４が見えないようにすることが可能になる。ケーブル１１４をさらに見えにくくするためには、距離Ｌ２を、厚さＴ１の２倍以上とするとより好ましく、３倍以上とするとさらに好ましい。距離Ｌ２を厚さＴ１の５倍程度確保しておけば、ケーブル１１４を視認することは、実質的に不可能になる。ここで、ケーブル１１４の前後方向の厚さＴ１は、通常、０．５〜２０ｍｍ程度であり、多くの場合、１〜１０ｍｍ程度である。距離Ｌ２に特に上限はないが、通常、２００〜３００ｍｍ程度までである。
【００６２】
ケーブル１１４における、連結部１１５ａ３の後側を通される部分は、連結部１１５ａ３の後側から食み出ないように、通常、後側装飾層１１５の後面に対して固定される。後側装飾層１１５に対するケーブル１１４の固定方法は、特に限定されないが、本実施態様においては、後側装飾層１１５の所定箇所に粘着テープを貼り付けることにより、ケーブル１１４を固定するようにしている。この場合、粘着テープの貼付け箇所を作業者に任せたのでは、ケーブル１１４が所定の経路から外れた経路を通り、ケーブル１１４が遊技者から見えてしまう虞もある。また、後側装飾層１１５に貼り付けた粘着テープが遊技者から見えてしまう虞もある。
【００６３】
このため、本実施態様においては、図７に示すように、後側装飾層１１５の不透過領域１１５ａにおける連結部１１５ａ１の後面に、ケーブル１１４の経路を指示するための線状の目印１１５ｄと、粘着テープを貼り付ける箇所を指示するための矩形状の目印１１５ｅとを設けている。これにより、ケーブル１１４が所定の経路から外れた経路を通されて遊技者から見えてしまう不具合や、粘着テープが遊技者から見えてしまう不具合等を防止することが可能となっている。後側装飾層１１５の後面に目印１１５ｄ，１１５ｅを設ける方法は、特に限定されず、斯様な形状を有するシールを貼り付けること等によって設けてもよいが、本実施態様においては、印刷により設けている。
【００６４】
ところで、本実施態様においては、図５に示すように、前側装飾部材１１１と後側装飾層１１５との間に、透明支持部材１１２や後側装飾層支持部材１１６が配されるため、前側装飾部材１１１の後面と後側装飾層１１５の前面は、同一平面上とはならない。このため、遊技者が前後方向（ｙ軸方向）に対して傾斜した方向から表示装置１２１の表示面１２１ａを見た場合に、前側装飾部材接続部１１５ａ１（図６）と前側装飾部材１１１との境界部から、ケーブル１１４が見えてしまう虞がある。この点、本実施態様においては、図６に示すように、前側装飾部材接続部１１５ａ１に、前方から見たときに前側装飾部材１１１の外周部と重なる前側装飾部材重合部１１５ａ４（図６において目の細かい網掛けハッチングで示した部分）を設けている。これにより、前側装飾部材接続部１１５ａ１と前側装飾部材１１１との境界部周辺からケーブル１１４が見えにくくすることが可能になっている。
【００６５】
この場合、前側装飾部材１１１に対する前側装飾部材重合部１１５ａ４の重なり幅Ｗ２（図６）を、どの程度に設定するかは、特に限定されない。しかし、この重なり幅Ｗ２を小さくしすぎると、遊技者が前後方向（ｙ軸方向）に対して大きく傾斜した角度から表示装置１２１の表示面１２１ａを見た場合に、前側装飾部材接続部１１５ａ１と前側装飾部材１１１との境界部周辺からケーブル１１４が見えてしまう虞がある。このため、重なり幅Ｗ２は、前側装飾部材１１１の後面と後側装飾層１１５の前面との間隔Ｄ１（図５）よりも大きくすると好ましい。これにより、遊技者が前後方向（ｙ軸方向）に対して４５°程度傾斜した角度から見た場合であっても、前側装飾部材接続部１１５ａ１と前側装飾部材１１１との境界部周辺からケーブル１１４が見えないようにすることができる。重なり幅Ｗ２は、間隔Ｄ１の２倍以上とするとより好ましく、３倍以上とするとさらに好ましい。重なり幅Ｗ２の上限は、特に限定されないが、通常、２０〜１００ｍｍ程度までである。
【００６６】
後側装飾層１１５は、上記の不透過領域１１５ａや透過領域１１５ｂを有するのであれば、その形態を特に限定されず、表示装置１２１の表示面１２１ａの一部のみに重なるもの（例えば、不透過領域１１５ａの部分のみに素材が存在し、透過領域１１５ｂが開口部となっているもの）であってもよい。本実施態様においては、後側装飾層１１５を、表示装置１２１の表示面１２１ａの略全体を覆うシート（透明樹脂シートに印刷を施したもの）としている。後側装飾層１１５における、前側装飾部材１１１に重なる箇所には、ケーブル１１４を通すためのケーブル挿通孔１１５ｃ（図４）を、透明支持部材１１２におけるケーブル挿通孔１１２ｂと同様の寸法形状で設けている。後側装飾層１１５の厚さは、特に限定されないが、通常、０．１〜２ｍｍ程度とされ、本実施態様においては、０．５ｍｍ程度としている。
【００６７】
後側装飾層１１５の後面と表示装置１２１の表示面１２１ａとの間の隙間αの幅Ｗ１（図５）は、その隙間αを通されるケーブル１１４の前後方向の厚さＴ１（図５）よりも大きければ、特に限定されない。しかし、隙間αの幅Ｗ１が小さすぎると、前側装飾部材１１１や透明支持部材１１２が遊技者によって叩かれた場合等に、その衝撃が表示装置１２１の表示面１２１ａに伝わり、表示装置１２１が損傷等する虞がある。このため、隙間αの幅Ｗ１は、１ｍｍ以上とすると好ましく、２ｍｍ以上とするとより好ましく、３ｍｍ以上とするとさらに好ましい。一方、隙間αの幅Ｗ１を大きくしすぎると、表示装置１２１の表示面１２１ａにおける、後側装飾層１１５の不透過領域１１５ａの後側に位置する広い範囲が遊技者から見えやすくなってしまう。このため、隙間αの幅Ｗ１は、３０ｍｍ以下とすると好ましく、２０ｍｍ以下とするとより好ましく、１０ｍｍ以下とするとさらに好ましい。本実施態様において、隙間αの幅Ｗ１は、４ｍｍに設定している。
【００６８】
２．２．６  後側装飾層支持部材
後側装飾層支持部材１１６は、後側装飾層１１５を支持するためのものとなっている。というのも、本実施態様においては、既に述べたように、後側装飾層１１５は、透明樹脂シートに印刷を施したものとなっており、それ単独では、形態を維持できないものとなっているところ、この透明樹脂シートからなる後側装飾層１１５を、後側装飾層支持部材１１６で支持することによって、後側装飾層１１５の形態を維持している。後側装飾層支持部材１１６は、後側装飾層１１５を後側から支持するものであってもよいが、本実施態様においては、図５に示すように、後側装飾層１１５を前側から支持するものとなっている。このため、後側装飾層支持部材１１６は、後側装飾層１１５の視認性を阻害しないように、透明な部材によって形成している。
【００６９】
後側装飾層支持部材１１６は、後側装飾層１１５の形態を維持できるものであれば、その形態を特に限定されず、後側装飾層１１５の一部のみを支持するものであってもよい。しかし、この場合には、後側装飾層１１５における、後側装飾層支持部材１１６で支持されない箇所に、シワ等が形成される虞がある。このため、本実施態様においては、後側装飾層支持部材１１６を、後側装飾層１１５の略全体を覆う板状部材としている。後側装飾層支持部材１１６における、前側装飾部材１１１に重なる箇所には、ケーブル１１４を通すためのケーブル挿通孔１１６ａ（図４）を、透明支持部材１１２におけるケーブル挿通孔１１２ｂと同様の寸法形状で設けている。後側装飾層支持部材１１６の板厚は、特に限定されないが、通常、０．５〜５ｍｍ程度とされ、本実施態様においては、２ｍｍとしている。後側装飾層支持部材１１６に対する後側装飾層１１５の固定方法は、特に限定されないが、本実施態様においては、後側装飾層支持部材１１６の後面に対して、後側装飾層１１５を貼着している。後側装飾層支持部材１１６は、その外周部をフレーム部材１１７（図４）の内周部で支持されるようになっている。
【００７０】
ところで、本実施態様のように、後側装飾層１１５をシートで形成する場合でも、後側装飾層支持部材１１６を必ず設けなければならないということはなく、例えば、後側装飾層１１５を透明支持部材１１２の後面に対して貼着等することもできる。換言すると、透明支持部材１１２に、後側装飾層１１５の支持機能を持たせてもよい。しかし、この場合には、装飾を施した前側装飾部材１１１を透明支持部材１１２に対して振動溶着等した後に、後側装飾層１１５を透明支持部材１１２に貼着等するか、後側装飾部材１１５を貼着等した透明支持部材１１２に対して、装飾が施された前側装飾部材１１１を振動溶着等する必要が生じ、歩留まりが悪くなる虞がある。このため、本実施態様のように、後側装飾層１１５は、透明支持部材１１２とは別体からなる後側装飾層支持部材１１６に対して支持するようにすると好ましい。これにより、歩留まりを良くすることが可能になる。
【００７１】
本実施態様のように、透明支持部材１１２とは別体からなる後側装飾層支持部材１１６に対して後側装飾層１１５を支持する場合において、後側装飾層支持部材１１６は、その前側に配される透明支持部材１１２に対して密着した状態に配してもよい。しかし、後側装飾層１１６を透明支持部材１１２に対して密着させた場合、ニュートンリングが発生して、後側装飾層１１５や表示装置１２１の表示面１２１ａの視認性が低下する虞がある。また、本実施態様においては、図５に示すように、電子部品１１３は、それを保持するブラケット１１９におけるビス止め部１１９ａを透明支持部材１１２の後面側に配して、そのビス止め部１１９ａの後側からビス１３０を打ち込むことにより、電子部品１１３を固定するようにしているところ、後側装飾層１１６を透明支持部材１１２に対して密着させてしまうと、ビス止め部１１９ａやビス１３０を収める空間を確保できなくなってしまい、斯様な固定構造を採用できなくなる。このため、後側装飾層支持部材１１６の前面と透明支持部材１１２の後面との間には、隙間β（図５）を設けると好ましい。
【００７２】
この場合、後側装飾層支持部材１１６の前面と透明支持部材１１２の後面との間の隙間βの幅Ｗ３（図５）をどの程度とするかは、特に限定されない。しかし、隙間βの幅Ｗ３を小さくしすぎると、上記のニュートンリングが生じる虞がある。このため、隙間βの幅Ｗ３は、０．５ｍｍ以上とすると好ましく、１ｍｍ以上とするとより好ましく、１．５ｍｍ以上とするとさらに好ましい。隙間βに上記のビス止め部１１９ａやビス１３０を収める場合には、隙間βの幅Ｗ３は、２ｍｍ程度は必要である。本実施態様においても、隙間βの幅Ｗ３は、２ｍｍに設定している。隙間βの幅Ｗ３の上限は、特に限定されないが、通常、１０〜３０ｍｍ程度までである。
【００７３】
２．２．７  フレーム部材
フレーム部材１１７は、透明支持部材１１２や後側装飾層支持部材１１５を、隙間αの幅Ｗ１や隙間βの幅Ｗ３等を上述した値に維持した状態で、表示装置１２１の表示面１２１ａの前側に支持するための部材となっている。フレーム部材１１７は、斯様な機能を発揮できるのであれば、その形態を特に限定されない。本実施態様において、フレーム部材１１７は、図４に示すように、その内周部で透明支持部材１１２の外周部と後側装飾層支持部材１１５の外周部とを保持できるように、矩形枠状としている。フレーム部材１１７の内周部には、凸条１１７ａを内フランジ状に設けている。また、フレーム部材１１７の外周部における、表示装置用ホルダ１２２のビス止め部１２２ｂに重なる箇所と、表示装置用ホルダ１２２の係止部１２２ｃが係止される箇所には、それぞれ、ビス止め部１１７ｂと被係止部１１７ｃとを設けている。さらに、フレーム部材１１７の外周部には、表示装置１２１を含む表示ユニット１００を、遊技機筺体の前扉１０ｂ（図２）における所定箇所に固定するための被固定部１１７ｄも設けている。さらにまた、フレーム部材１１７の枠状部分には、ケーブル１１４を通すためのケーブル挿通孔１１７ｅも設けている。
【００７４】
ところで、上記の凸条１１７ａの前後方向の厚さは、後側装飾層支持部材の前面と透明支持部材の後面との間の隙間βの幅Ｗ３に一致するようになっている。すなわち、フレーム部材１１７の前側から透明支持部材１１２を嵌め込んで、透明支持部材１１２の後面を凸条１１７ａの前面に当接させ、フレーム部材１１７の後側から後側装飾層支持部材１１５を嵌め込んで、後側装飾層支持部材１１５の前面を凸条１１７ａの後面に当接させただだけで、隙間βの幅Ｗ３が所望の値となるようになっている。フレーム部材１１７に嵌め込まれた透明支持部材１１２は、その外周部をフレーム部材１１７の内周部に設けられた図示省略の係止爪により係止され、フレーム部材１１７に嵌め込まれた後側装飾層支持部材１１５は、その外周部をフレーム部材１１７の内周部に設けられた係止爪１１７ｆに係止されるようになっている。
【００７５】
３．前側装飾部材（遊技機用装飾部材）の製造方法
本実施態様においては、上記の「２．２．２  前側装飾部材」の欄で述べたように、前側装飾部材１１１の構造やその製造方法にも工夫を施している。具体的には、以下で述べる遊技機用装飾部材の製造方法によって、前側装飾部材１１１を製造している。ここで、「遊技機用装飾部材」は、遊技機において、光電センサを装飾するために用いられるカバー部材であって、その光電センサから出射された検知光を前方に透過させるための透光部を有するものを指している。「遊技機用装飾部材」の概念には、上記の「前側装飾部材１１１」も含まれる。
【００７６】
すなわち、
光電センサ（電子部品１１３）から出射された検知光を前方に透過させるための透光部１１１ａ１が設けられた前側装飾部材１１１（遊技機用装飾部材）の製造方法であって、
前側装飾部材１１１（遊技機用装飾部材）を、図５に示すように、
透光部１１１ａ１となる部分に開口部又は薄肉部が形成された本体部材１１１ａと、
本体部材１１ａにおける前記開口部又は前記薄肉部に設けられる透光部補強部材１１１ｂと、
によって構成し、
一の熱可塑性樹脂からなる加飾シート１１１ａ２を、図示省略の金型内に配置した状態で、当該一の熱可塑性樹脂よりも融点の低い他の熱可塑性樹脂１１１ａ３を前記金型内に注入し、加飾シート１１１ａ２に対して前記他の熱可塑性樹脂１１１ａ３を一体化させるインサート成形によって、本体部材１１１ａの成形を行うとともに、
前記他の熱可塑性樹脂１１１ａ３よりも融点及び光透過率が高い、前記他の熱可塑性樹脂１１１ａ３とは異なる種類の熱可塑性樹脂を成形することによって、透光部補強部材１１１ｂの成形を行う
ことを特徴とする遊技機用装飾部材の製造方法
によって、前側装飾部材１１１（遊技機用装飾部材）を製造している。
【００７７】
というのも、上記のように、加飾シート１１１ａ２が配された金型内にインサート成形を行うと、前側装飾部材１１１（遊技機用装飾部材）に装飾を容易に施すことができるという利点がある。しかし、この場合には、インサート成形を行う際に加飾シート１１１ａ２が溶融してしまわないように、インサート成形を行う前記他の熱可塑性樹脂１１１ａ３は、加飾シート１１１ａ２を形成する前記一の熱可塑性樹脂よりも融点の低いものを使用しなければならないという制限がある。ところが、融点が低い熱可塑性樹脂（例えばＡＢＳ樹脂等）は、赤外線等の光透過率が悪い傾向にある。このため、本体部材１１１ａの全体を、そのように融点が低い前記他の熱可塑性樹脂１１１ａ３で形成すると、透光部１１１ａ１の光透過率が悪くなり、光電センサ（電子部品１１３）が所望の検知を適切に行えなくなる虞が生ずる。この点、上記のように、本体部材１１１ａにおける透光部１１１ａ１となる部分を開口部又は薄肉部とすることによって、透光部１１１ａ１の光透過率の低下を防ぎ、光電センサ（電子部品１１３）に所望の検知を適切に行わせることが可能になるからである。
【００７８】
ただし、本体部材１１１ａにおける透光部１１１ａ１となる部分を開口部又は薄肉部とした場合には、透光部１１１ａ１の強度を維持しにくくなり、遊技者が指等で透光部１１１ａ１を触れた際に、透光部１１１ａ１が破損する虞があるだけでなく、透光部１１１ａ１の後方に位置する光電センサ（電子部品１１３）にも破損が生じる虞がある。この点、上記のように、透光部１１１ａ１を、インサート成形を行う前記他の熱可塑性樹脂１１１ａ３よりも融点が高く光透過率に優れた前記別の熱可塑性樹脂で形成された透光部補強部材１１１ｂで補強することによって、透光部１１１ａ１や光電センサ（電子部品１１３）の破損を防止することもできる。
【００７９】
ここで、加飾シート１１１ａ２を形成する前記一の熱可塑性樹脂と、インサート成形を行う前記他の熱可塑性樹脂１１１ａ３と、透光部補強部材１１１ｂを形成する前記別の熱可塑性樹脂は、融点及び光透過率が上記の関係を満たすのであれば、特に限定されない。前記一の熱可塑性樹脂と前記別の熱可塑性樹脂には、同じ熱可塑性樹脂を使用してもよい。本実施態様においては、加飾シート１１１ａ２を形成する前記一の熱可塑性樹脂を、ポリカーボネート（ＰＣフィルム）及びポリメチルメタクリレート（ＰＭＭＡフィルム）とし（加飾シート１１１ａ２を、ＰＣフィルムとＰＭＭＡフィルムを積層した２層シートとし）、インサート成形を行う前記他の熱可塑性樹脂を、ＡＢＳ樹脂とし、透光部補強部材１１１ｂを形成する前記別の熱可塑性樹脂を、ポリカーボネートとすることによって、上記の関係を満たすようにしている。
【００８０】
また、本体部材１１１ａに対する透光部補強部材１１１ｂの固定方法は、特に限定されない。本実施態様においては、光電センサ（電子部品１１３）のブラケット１１９の前端部に透光部補強部材１１１ｂを固定した後に、その透光部補強部材１１１ｂを、インサート成形後の本体部材１１１ａにおける透光部１１１ａの開口部又は薄肉部（凹部）に嵌め込むようにしている。
【符号の説明】
【００８１】
１０        回胴式遊技機
１０ａ      筺体本体
１０ｂ      前扉
１０ｂ１    リール窓
１１        メダル投入口
１２        メダル払出口
１３        第一リール（リール）
１４        第二リール（リール）
１５        第三リール（リール）
１６        表示装置
１７        スピーカー
１８        マックスベットボタン
１９        シングルベットボタン
２０        スタートレバー
２１        第一ストップボタン（ストップボタン）
２２        第二ストップボタン（ストップボタン）
２３        第三ストップボタン（ストップボタン）
２４        演出切替えスイッチ
２５        払戻しボタン
２６        演出切替えスイッチ用装飾カバー
３０        メイン制御基板ユニット
３１        サブ制御基板ユニット
３２        表示ユニット
３３        電源ユニット
３４        コネクタユニット
３５        リールユニット
３６        ホッパーユニット
１００        表示ユニット
１１０        表示ユニット前側部材
１１１        前側装飾部材（遊技機用装飾部材）
１１１ａ      本体部材
１１１ａ１    透光部
１１１ａ２    加飾シート（一の熱可塑性樹脂）
１１１ａ３    他の熱可塑性樹脂
１１１ｂ      透光部補強部材（他の熱可塑性樹脂とは異なる種類の熱可塑性樹脂）
１１２        透明支持部材
１１２ａ      凸条
１１２ｂ      ケーブル挿通孔
１１３        電子部品
１１４        ケーブル
１１５        後側装飾層
１１５ａ      不透過領域
１１５ａ１    前側装飾部材接続部
１１５ａ２    外側領域接続部
１１５ａ３    連結部
１１５ａ４    前側装飾部材重合部
１１５ｂ      透過領域
１１５ｃ      ケーブル挿通孔
１１５ｄ      目印（ケーブル用）
１１５ｅ      目印（粘着テープ用）
１１６        後側装飾層支持部材
１１６ａ      ケーブル挿通孔
１１７        フレーム部材
１１７ａ      凸条
１１７ｂ      ビス止め部
１１７ｃ      被係止部
１１７ｄ      被固定部
１１７ｅ      ケーブル挿通孔
１１７ｆ      係止爪
１１８        電子基板
１１９        ブラケット
１１９ａ      ビス止め部
１２０        表示ユニット後側部材
１２１        表示装置
１２１ａ      表示面
１２２        表示装置用ホルダ
１２２ａ      把手
１２２ｂ      ビス止め部
１２２ｃ      係止部
１３０        ビス
Ｄ１      前側装飾部材の後面と後側装飾層の前面との間隔
Ｌ１      前側装飾部材の外縁と表示装置の表示面の外縁とにおける最も近くなった部分の距離
Ｌ２      ケーブルの縁から、当該縁に最も近い透過領域までの距離
Ｔ１      ケーブルの前後方向の厚さ
Ｗ１      後側装飾層の後面と表示装置の表示面との間の隙間の幅
Ｗ２      前側装飾部材に対する前側装飾部材重合部の重なり幅
Ｗ３      後側装飾層支持部材の前面と透明支持部材の後面との間の隙間の幅
α      後側装飾層の後面と表示装置の表示面との間の隙間
β      後側装飾層支持部材の前面と透明支持部材の後面との間の隙間
【図１】
2018126397.tif 000003
【図２】
2018126397.tif 000004
【図３】
2018126397.tif 000005
【図４】
2018126397.tif 000006
【図５】
2018126397.tif 000007
【図６】
2018126397.tif 000008
【図７】
2018126397.tif 000009